(57)【要約】      （修正有）【課題】スイングとステップ效果を有するエリプティカルクロストレーナーを提供する。【解決手段】台座１０と、台座の中フレーム１に設けられたクランク構造３０及びダンプ装置４０と、台座の前フレーム１２と中フレームの間に設けられた２つの斜張ガイドレール５０，５０Ｂと、斜張ガイドレール上のペダル６０，６０Ｂと、ペダルの前端底部に設けられるスライドガイドユニット７０と、ペダルの後端底部に設けられるユニバーサルジョイント部８０とを備える。【選択図】図１
0003165317.tif 000002
【実用新案登録請求の範囲】
【請求項１】
横向きに設けられた中フレーム、前フレーム、後フレームを備えてなる台座、
該台座の中フレームにあり、シャフト及び該シャフトの両側にそれぞれ存在する左クランク及び右クランクを備えたクランク構造が備わり、該左クランク及び右クランク、は相互の位置をずらして設けられ、
該台座の中フレームの上に設けられたダンプ装置が備わり、該ダンプ装置は該クランク構造と相互に接続伝導するように設けられ、
相互に対称な角度で、該台座の前フレームと中フレーム間に横向きに設けられている２つの斜張ガイドレールが備わり、該２つの斜張ガイドレールの前フレームに接続する側は、片方が斜めに設けられ、
該２つの斜張ガイドレールの上にそれぞれ設けられ、該クランク構造と接続するように設けられた２つのペダルが備わり、
方向回転可能で、該２つのペダルの前端底部に設けられ、スライドして前記２つの斜張ガイドレールに組み合わさるように設けられたスライドガイドユニットが備わり、
該２つのペダルの後端底部にあり、クランク構造の左クランク及び右クランクに接続するように設けられたユニバーサルジョイント部が備わり、
それにより、該２つのペダルが踏まれると、その後端が左クランク及び右クランクに導かれ、円周運動が行われるようになり、該２つのペダルの前端は、該２つの斜張ガイドレールに導かれ、進退すると同時に、回転スイングが行われるように設けられていることを特徴とする、スイングとステップ效果を有するエリプティカルクロストレーナー。
【請求項２】
前記台座の中フレーム、前フレームと後フレームの全三者は工の文字の形のフレームに、該前フレームは弓形に設けられ、前フレームの上には、取っ手が縦向きに設けられており、該ダンプ装置は、フライホイール、ジョグホイール、及び該フライホイールと該ジョグホイールとをつなぐための連動ベルトを備えてなり、該フライホイールの中央部は、該クランク構造のシャフトとつなぎ、共に動くように設けられ、また、該ペダルの後端底部にあるユニバーサルジョイント部は、軸受、横向き円筒、縦向き円筒を備え、該軸受は、該ペダルの後端底部内に嵌め込まれ、該横向き円筒は、該クランク構造の左クランク及び右クランクの末端に嵌められ、該縦向き円筒は縦向きで、該横向き円筒の上部にはみ出し、該縦向き円筒の上部は前記軸受に設けられていることを特徴とする、請求項１に記載のスイングとステップ效果を有するエリプティカルクロストレーナー。
【請求項３】
前記２つの斜張ガイドレールと、前記前フレームと前記中フレームとの間は、結合固定または組合式着脱可能に設けられているが、該２つの斜張ガイドレールと該前フレームと該中フレームとの間が組合式着脱可能であるように設けられた場合、該２つの斜張ガイドレールの一方（又は他方）と該前フレーム、中フレームとの間は、多段階組合部位の調整可能状態に設けられるが、該調整可能状態は、斜め角度の調整、高さの調整のいずれかの一つまたはその共有形式に該当するが、また、該斜張ガイドレールの一方（又は他方）は、円形管または円形バーで構成され、該ペダルの一方（又は他方）の前端底部に設けられたスライドガイドユニットは、逆凹型フレーム、ローラー、位置決めストッパーを備え、該ペダルのいずれか一方の前端底部には、軸受台がプリセットされ、該逆凹型フレームの上部には、接続柱体がはみ出され、該軸受台に設けられているが、該ローラーは、該逆凹型フレーム内に設けられ、該ローラーの底部は、スライドして該斜張ガイドレールの一方（又は他方）の上に寄せるように設けられているが、該逆凹型フレームの片側は、下向きになる突出縁部がそれに対応の該斜張ガイドレールの一方（又は他方）の下方に延ばされ、それにより、前記位置決めストッパーが横向きに前記突出縁部に結合され、該位置決めストッパーがスライドして前記斜張ガイドレールの一方（又は他方）の底部に寄せるようになるが、または、該斜張ガイドレールの一方（又は他方）は、凹形断面のレール形になり、凹型ガイド槽が形成されることにより、該凹型ガイド槽の両側壁には対向して長形位置決めガイド孔が設けられており、前記ペダルの一方（又は他方）の前端底部にあるスライドガイドユニットは、フレーム、２つの回転ローラーを備えてなり、前記ペダルの一方（又は他方）の前端底部には、軸受台がプリセットされ、前記フレームの上部には、接続柱体がはみだし、前記軸受台に設けられることにより、該スライドガイドユニットのフレームと回転ローラーはいずれも、該斜張ガイドレールの一方（又は他方）の凹型ガイド槽の中に入れられるように設けられるが、また、前記回転ローラーのシャフトの外端には突出部があり、それにより、該凹型ガイド槽の両側壁にある長形位置決めガイド孔を通って、位置決めになり、かつ抜け防止になる効果があるが、それに、前記斜張ガイドレールは、垂直形、カーブ形のいずれかの一つの形で設けられてもよいことを特徴とする、請求項１に記載のスイングとステップ効果を有するエリプティカルクロストレーナー。
【考案の詳細な説明】
【技術分野】
【０００１】
本考案は、エリプティカルクロストレーナーに関わり、特に、ペダルを踏みながら、スイングが伴う效果を有するオリジナルな構造形態設計に関する。
【背景技術】
【０００２】
エリプティカルクロストレーナーは、一般のフィットネスバイクとの相違点と言えば、そのペダルの作動コースは、正円周サイクルを繰り返すのではなく、楕円長方形サイクルを繰り返して、人が歩いている状態のシミュレーションを行うことであり、その特色で、エリプティカルクロストレーナーは、エクササイズマシン市場で一席を占めることができ、ジムなどでもエリプティカルクロストレーナーの設置もよく見られる。
【０００３】
近年、エリプティカルクロストレーナーは、関連業界で次々と開発され、発展し、主要構造が定型化するようになっているため、従来のエリプティカルクロストレーナーを改善し、新製品をリリースする際に、更なる大きな壁にぶつかる。結局、それは、どれも似通った印象を与え、新鮮感もなく、エリプティカルクロストレーナーの発展がそれ以上進まないという問題点が出てくる。
【０００４】
それゆえ、上述した従来のエリプティカルクロストレーナー構造に存在する問題点について、よりオリジナル性があり、より理想的で実用性のある新しい構造を開発することを使用者が望んでいることから、関連業者が努力して、研究開発すべき目標と方向を定めた。
【０００５】
それを鑑みて、関連製品の製造開発と設計に携わる長年の経験を持っている考案者は、上述の目標を達成するために、詳しく設計、評価を行ったうえ、ようやく実用性のある本考案を提案したわけである。
【考案の概要】
【考案が解決しようとする課題】
【０００６】
本考案は、スイングとステップ效果を有するエリプティカルクロストレーナーを提供することを目的とし、解決しようとする課題は、よりオリジナル性を有し、より理想的で実用的である新しいエリプティカルクロストレーナーを開発することを目標とし、それを達成することである。
【課題を解決するための手段】
【０００７】
本考案の課題を解決するための技術的特徴として、中フレーム、前フレーム、後フレームを備えてなる台座、台座の中フレームの上に設けられ、シャフト及び左、右クランクを備えてなるクランク構造、台座の中フレームの上に設けられたダンプ装置が備わり、該ダンプ装置はクランク構造と相互に接続伝導するように設けられており、相互に対称な角度で、該台座の前フレームと中フレームとの間に横向きに設けられている２つの斜張ガイドレールが備わり、前フレームに接続する該２つの斜張ガイドレールの当該端は、片方が斜めに設けられており、それぞれ２つの斜張ガイドレールの上に設けられ、クランク構造と接続するように設けられた２つのペダルが備わり、該２つのペダルの前端底部に設けられ、スライドして２つの斜張ガイドレールに組み合わさるように設けられたスライドガイドユニットが備わり、また、２つのペダルの後端底部にあり、左、右クランクに接続するように設けられたユニバーサルジョイント部が備わってなることを特徴とするエリプティカルクロストレーナーであり、本考案のオリジナルな設計は背景技術に比べると、該２つのペダルが踏まれると、その後端が該左、右クランクに導かれ、円周運動が行われるようになり、該２つのペダルの前端は、２つの斜張ガイドレールに導かれ、進退すると同時に、回転スイングが行われるように設けられ、本考案の設計により、従来のエリプティカルクロストレーナーの作動形態を改善し、そのペダルが楕円形に動作すると同時に、スイングが伴う変化性があり、使用者に新鮮感を与え、豊富な動作の変化性によって、エクササイズ効果を向上させるという実用性、進歩性を有する。
【考案の効果】
【０００８】
本考案による効果向上の事実は下記の通りである。
【０００９】
本考案に掲示した“スイングとステップ效果を有するエリプティカルクロストレーナー”は、該台座の前フレームと中フレームとの間に更に該斜張ガイドレールを増設したオリジナルな構造形態の設計であり、エリプティカルクロストレーナーの２つのペダルが踏まれると、その後端が左、右クランクに導かれ、円周運動が行われ、該２つのペダルの前端は、該２つの斜張ガイドレールに導かれ、進退すると同時に、回転スイングが行われるように設けられていることであり、従来のエリプティカルクロストレーナーの作動形態を改善し、そのペダルが楕円形に動作すると同時に、スイングが伴うという多様性があり、それにより、使用者に新鮮感を与え、豊富な動作の多様性によって、使用者の足部の動きが変化に富み、より機敏になることから、エクササイズ効果を向上させるという実用性、進歩性がある。
【００１０】
本考案による新しい効果は下記の通りである。
【００１１】
該斜張ガイドレールと該前フレーム、中フレームの間には、多段階組合部位を有する調整可能な形態構造設計が設けられることによって、ペダルの斜め運動の幅が変えられ、使用者に応じてそれぞれのニーズを満足させるというメリットがある。
【００１２】
上述の実施例に掲示されたのは、本考案を具体的に説明するための内容であり、文中では、特定な専門用語で説明してきたが、それを以って本考案の実用新案請求範囲を制限してはならないとし、この技術分野が分かる者は、本考案のコンセプトや考えを理解し、その改造や変更などを行って、それと同等な効果を得たとしても、これらの改造や変更はいずれも後述の実用新案請求の範囲に含まれるものとする。
【図面の簡単な説明】
【００１３】
【図１】本考案のエリプティカルクロストレーナーの好適な実施例の組合立体図である。
【図２】本考案のエリプティカルクロストレーナーの一部の部品の分解立体図である。
【図３】本考案のエリプティカルクロストレーナーの平面上面図である。
【図４】本考案のペダルの動作する状態イメージ（平面正面図）である。
【図５】本考案における斜張ガイドレールとスライドガイドユニット構造形態の好適な実施例の断面図である。
【図６】本考案における斜張ガイドレールとスライドガイドユニット構造形態のもう一つの実施例の断面図である。
【図７】図６に掲示した構造の他方側の断面図である。
【図８】本考案の斜張ガイドレールの多段階調整可能機能を有する実施例図である。
【図９】本考案の斜張ガイドレールがカーブ形に設けられた実施例図である。
【考案を実施するための形態】
【実施例】
【００１４】
図１〜図３に示すのは、本考案のスイングとステップ效果を有するエリプティカルクロストレーナーの好適な実施例であるが、ただし、これらの実施例は説明のみに用いられ、実用新案請求の際に、これらの構造に限定されないものとする。
【００１５】
横向きに設けられた中フレーム１１、前フレーム１２、後フレーム１３を備えてなる台座１０が備わり、本実施例にあっては、該台座１０の中フレーム１１、前フレーム１２、後フレーム１３の三者全体は、工の文字の形のフレームの形に、該前フレーム１２は弓形に設けられており、
該台座１０の前フレーム１２の上には縦向きに設けられた、使用者を支えるための取っ手２０が備わり、
該台座１０の中フレーム１１の上にあり、シャフト３１及び該シャフト３１両側にそれぞれある左クランク３２、右クランク３３を備えたクランク構造３０が備わり、該左、右クランク３２、３３は相互の位置をずらして設けられており、
該台座１０の中フレーム１１の上に設けられたダンプ装置４０が備わり、該ダンプ装置４０は該クランク構造３０と相互に接続伝導するように設けられ、該ダンプ装置４０の具体的な形態として、フライホイール４１、ジョグホイール４２、及び該フライホイール４１とジョグホイール４２とをつなぐための連動ベルト４３を備え、該フライホイール４１の中央部は、該クランク構造３０のシャフト３１とつなぎ、共に動くように設けられており、
相互に対称な角度で、該台座１０の前フレーム１２と中フレーム１１間に横向きに設けられている２つの斜張ガイドレール５０、５０Ｂが備わり、前フレーム１２に接続する該２つの斜張ガイドレール５０の当該側は、片方が斜めに設けられており、
それぞれ該２つの斜張ガイドレール５０、５０Ｂの上に設けられ、該クランク構造３０と接続するように設けられた２つのペダル６０、６０Ｂが備わり、該２つのペダル６０の前端底部にはいずれも、方向回転可能なスライドガイドユニット７０が設けられ、該スライドガイドユニット７０はスライドして該２つの斜張ガイドレール５０、５０Ｂに組み合わさるように設けられており、また、該２つのペダル６０、６０Ｂの後端底部にあり、クランク構造３０の左、右クランク３２、３３に接続するように設けられたユニバーサルジョイント部８０が備わってなることを特徴とするエリプティカルクロストレーナーＡであり、
上述の構造と組合せ、設計により、該２つのペダル６０、６０Ｂが踏まれると、その後端が該左、右クランク３２、３３に導かれ、円周運動が行われるようになり、該２つのペダル６０、６０Ｂの前端は図４に示すように、該２つの斜張ガイドレール５０、５０Ｂに導かれ、進退すると同時に、回転スイングが行われるように設けられているオリジナルな動作形態である（矢印Ｌ１）。
【００１６】
該２つの斜張ガイドレール５０、５０Ｂは、該前フレーム１２、中フレーム１１との間は、結合固定で設けられてもよく（例えば、溶接、リベット接合、ネジ締めなどの固定方法）、または組合式着脱可能に設けられてもよい（例えば、ボトルのネジ締め、嵌め込み、クリップ接合などの方法）。
【００１７】
図５に示すように、該斜張ガイドレール５０（または５０Ｂ）は、円形管（または円形バー）に設けられてもよいが、該ペダル６０（または６０Ｂ）の前端底部にあるスライドガイドユニット７０は、逆凹型フレーム７１、ローラー７２、位置決めストッパー７３を備えてなるものでもよいが、該ペダル６０（または６０Ｂ）の前端底部には、軸受台６１がプリセットされ、該逆凹型フレーム７１の上部からは、接続柱体７４がはみだし、該軸受台６１に設けられているが、該ローラー７２は、該逆凹型フレーム７１内に設けられ、該ローラー７２の底部は、スライドして該斜張ガイドレール５０（または５０Ｂ）の上に寄せられるように設けられているが、該逆凹型フレーム７１の片側は、下向きになる突出縁部７５がそれに対応する該斜張ガイドレール５０（または５０Ｂ）の下方に延ばされ、それによって、該位置決めストッパー７３が横向きに該突出縁部７５に結合され、該位置決めストッパー７３がスライドして該斜張ガイドレール５０（または５０Ｂ）の底部に寄せられるように設けられている。
【００１８】
図６、図７に示すように、該斜張ガイドレール５０（または５０Ｂ）は、凹型断面のレール形になり、凹型ガイド槽５１が形成されてもよいが、それにより、該凹型ガイド槽５１の両側壁には、対向して長形位置決めガイド孔５２が設けられ、該ペダル６０（または６０Ｂ）の前端底部にあるスライドガイドユニット７０Ｂは、フレーム７６、２つの回転ローラー７７を備えてなり、該ペダル６０（または６０Ｂ）の前端底部には、軸受台６１がプリセットされ、該フレーム７６の上部には、接続柱体７８がはみだし、該軸受台６１に設けられることにより、該スライドガイドユニット７０Ｂのフレーム７６と回転ローラー７７はいずれも、該斜張ガイドレール５０（または５０Ｂ）の凹型ガイド槽５１の中に入られるように設けられるが、また、該回転ローラー７７のシャフト７７１の外端には突出部７７２があり、それにより、該凹型ガイド槽５１の両側壁にある長形位置決めガイド孔５２を通って、位置決めになり、かつ抜け防止になる効果がある。
【００１９】
図２に示すように、該ペダル６０、６０Ｂの後端底部にあるユニバーサルジョイント部８０の具体的な実施形態として、軸受８１、横向き円筒８２、縦向き円筒８３を備えてなり、該軸受８１は、該ペダル６０、６０Ｂの後端底部内に嵌め込まれ、該横向き円筒８２は、該クランク構造３０の左、右クランク３２、３３の末端に設けておいた円柱体８４に嵌められ、該縦向き円筒８３は、縦向きで、該横向き円筒８２の上部側にはみ出し、該縦向き円筒８３の上部は、該軸受８１に設けられているが、それにより、該ペダル６０、６０Ｂ後端底部が縦向き・横向きに自由に動作する左、右クランク３２、３３につなぎ、角度が自由に動作するようになり、それに応じて、ペダル６０、６０Ｂの円周運動とスイング運動が変化して行われるように設けられている。
【００２０】
また、図８に示すように、該斜張ガイドレール５０Ｂ（注：他方側の斜張ガイドレール５０の構造と同様）と該前フレーム１２、中フレーム１１の間は、多段階組合部位の調整可能状態に設けられてもよいが、該調整可能状態は、斜め角度の調整、高さの調整のいずれかの一つまたはその共有形式に該当するが、当該図面に示されるように、それにより、該斜張ガイドレール５０Ｂの後端と該中フレーム１１の間は、接続部位５３でつなぎ、該斜張ガイドレール５０Ｂの前端呈が横向きにスイング調整可能に設けられるが、また、該前フレーム１２には、間隔を置いて設けられた多段階位置決め孔１２０（例えば、差込孔）があり、それにより、該斜張ガイドレール５０Ｂの前端が位置決め孔１２０の位置に応じて、斜め角度が変えられるようになり、そのうえ、プラグ１２１の設置によって、位置決めが可能となり、それにより、ペダルの斜向運動の幅が変えられ、使用者ニーズを満足させることができる。
【００２１】
該斜張ガイドレール５０、５０Ｂは、垂直形（例えば、図１〜図４に示す通り）、または図９に示すように、斜張ガイドレール５０Ｃはカーブ形に設けられてもよい。
【符号の説明】
【００２２】
Ａ  エリプティカルクロストレーナー    
１０  台座                  
１１  中フレーム              
１２  前フレーム              
１２０  位置決め孔              
１３  後フレーム              
２０  取っ手              
３０  クランク構造          
３１  シャフト                  
３２  左クランク          
３３  右クランク          
４０  ダンプ装置          
４１  フライホイール                  
４２  ジョグホイール              
４３  連動ベルト          
５０、５０Ｂ、５０Ｃ  斜張ガイドレール          
５１  凹型ガイド槽        
５２  長形位置決めガイド孔      
５３  接続部位          
６０、６０Ｂ  ペダル                  
６１  軸受台              
７０、７０Ｂ  スライドガイドユニット        
７１  逆凹型フレーム              
７２  ローラー                  
７３  位置決めストッパー          
７４  接続柱体              
７５  突出縁部              
７６  フレーム                  
７７  回転ローラー                
７７１  シャフト                
７７２  突出部              
７８  接続柱体              
８０  ユニバーサルジョイント部        
８１  軸受                  
８２  横向き円筒            
８３  縦向き円筒            
８４  円柱体                
【図１】
0003165317.tif 000003
【図２】
0003165317.tif 000004
【図３】
0003165317.tif 000005
【図４】
0003165317.tif 000006
【図５】
0003165317.tif 000007
【図６】
0003165317.tif 000008
【図７】
0003165317.tif 000009
【図８】
0003165317.tif 000010
【図９】
0003165317.tif 000011